(57)【要約】      （修正有）【課題】ノートブック式パーソナルコンピュータに接続して使用可能であり、停電時にも発光体の発光を持続できる電気スタンドを提供する。【解決手段】台座１と、電気スタンド本体２と、を含む電気スタンドにおいて、前記台座は、その上でＵＳＢポート１１が設けられており、電源スイッチ１４を有し、前記電気スタンド本体には、発光源本体２１が設けられており、前記発光源本体には、発光体２２が組み付けられており、切替スイッチが設けられており、前記発光源本体の一端にはロッド２４が伸びており、前記ロッドの他端には、前記台座に設けられたＵＳＢポートと電気的に接続可能のＵＳＢプラグが接続されている。【選択図】図１
0003150990.tif 000002
【実用新案登録請求の範囲】
【請求項１】
台座と、電気スタンド本体と、を含む電気スタンドにおいて、
前記台座は、その上にＵＳＢポートが設けられているとともに、電源スイッチを有し、
前記電気スタンド本体には発光源本体が設けられており、
前記発光源本体には発光体が組み付けられており、
前記発光源本体には切替スイッチが設けられており、
前記発光源本体の一端にはロッドが伸びており、
前記ロッドの他端には、前記台座に設けられたＵＳＢポートと電気的に接続可能なＵＳＢプラグが接続されていることを特徴とする、
電気スタンド。
【請求項２】
前記台座には、電池を収容するための電池収容部と、前記電池収容部に収容されている電池の離脱を防止するための底蓋と、が更に設けられていることを特徴とする、請求項１に記載の電気スタンド。
【請求項３】
電源変換器が更に設けられており、前記電源変換器は、交流/直流変換回路を有する変換器本体と、前記変換器本体と電気的に接続しているケーブルと、を含み、前記変換器本体の一側にはＵＳＢポートが設けられており、前記ケーブルの一端には、前記変換器本体に設けられたＵＳＢポートと電気的に接続可能のＵＳＢプラグが設けられており、前記ケーブルの他端には、前記台座に設けられた電源入力端と電気的に接続可能の電源出力端が設けられていることを特徴とする、請求項１に記載の電気スタンド。
【考案の詳細な説明】
【技術分野】
【０００１】
本考案は電気スタンドに関し、特に電気スタンド本体と台座との接続をＵＳＢポートとＵＳＢプラグとの脱着自在な嵌合によって行い、そして電気スタンド本体がノートブック式パーソナルコンピュータに設けられたＵＳＢポートに単独に差込んで照明可能な電気スタンドに関するものである。
【背景技術】
【０００２】
照明装置は暗い箇所を照明するためのものである。また、照明装置の光度が不足したり、照明装置からの光線が遮られたりすると、局所の照明を補足するために、電気スタンドなどが使用され、電気スタンドなどにより、ユーザの目を近視から守ることができる。
【０００３】
しかしながら、従来の電気スタンドなどは、その形態および機能が単純であり、照明以外の機能が全く付けられていない。多くの電気スタンドは公共電源（市電）を使用するので、停電すると電気スタンドが照明できなくなって、ユーザが行っている仕事を停止しなければならないといった問題があった。
【先行技術文献】
【特許文献】
【０００４】
【特許文献１】実用新案登録第３０８３９３８号
【考案の概要】
【考案が解決しようとする課題】
【０００５】
本考案の主な目的は、電気スタンド本体と台座との接続がＵＳＢポートとＵＳＢプラグとの脱着自在な嵌合によって行い、そして電気スタンド本体がノートブック式パーソナルコンピュータに設けられたＵＳＢポートに単独に差込んで照明可能の電気スタンドを提供することにある。
本考案の次の目的は、公共電源が停電しているときに、電池収容部に収容されている電池からの電源によって発光体の発光を持続することができる電気スタンドを提供することにある。
【課題を解決するための手段】
【０００６】
本考案の請求項１に記載の電気スタンドによると、台座と、電気スタンド本体と、を含む電気スタンドにおいて、
前記台座は、その上でＵＳＢポートが設けられており、電源スイッチを有し、
前記電気スタンド本体には、発光源本体が設けられており、前記発光源本体には、発光体が組み付けられており、切替スイッチが設けられており、前記発光源本体の一端にはロッドが伸びており、前記ロッドの他端には、前記台座に設けられたＵＳＢポートと電気的に接続可能のＵＳＢプラグが接続されていることを特徴とする電気スタンドである。
本考案の請求項２に記載の電気スタンドによると、更に、前記台座には、電池を収容するための電池収容部と、前記電池収容部に収容されている電池の離脱を防止するための底蓋と、が設けられている。
本考案の請求項３に記載の電気スタンドによると、更に、電源変換器が設けられており、前記電源変換器は、交流/直流変換回路を有する変換器本体と、前記変換器本体と電気的に接続しているケーブルと、を含み、前記変換器本体の一側にはＵＳＢポートが設けられており、前記ケーブルの一端には、前記変換器本体に設けられたＵＳＢポートと電気的に接続可能のＵＳＢプラグが設けられており、前記ケーブルの他端には、前記台座に設けられた電源入力端と電気的に接続可能の電源出力端が設けられている。
【考案の効果】
【０００７】
本考案の電気スタンドによれば、次のような効果がある。
（１）電気スタンド本体と台座との接続がＵＳＢポートとＵＳＢプラグとの脱着自在な嵌合によって行い、そして電気スタンド本体がノートブック式パーソナルコンピュータに設けられたＵＳＢポートに単独に差込んで照明することができる。
（２）公共電源が停電しているときに、電池収容部に収容されている電池からの電源によって発光体の発光を持続することができる。
（３）ノートブック式パーソナルコンピュータに設けられたＵＳＢポートに、ケーブルの一端に設けられたＵＳＢプラグを挿入したと、台座はＵＳＢハブとして使用することができる。
（４）本考案に係る撓み可能ロッドにより、ユーザは光源の投射方向を自由に調整することができる。
（５）電気スタンド本体に設けられた切替スイッチにより、発光体の光度を自由に調整することができ、例えば、寝ているときに、ユーザは発光体の光度を降下することができる。
（６）本考案に係る電気スタンドは、アウトドア活動に活用することもできる。
【図面の簡単な説明】
【０００８】
【図１】本考案に係る電気スタンドの組合状態の斜視図である。
【図２】本考案に係る電気スタンドの分解斜視図である。
【図３】本考案に係る電気スタンドの分解斜視図である。
【図４】本考案に係る電気スタンド主体の斜視図である。
【図５】本考案に係る電気スタンド主体の使用状態を示す模式図である。
【図６】本考案の他の実施例の使用状態を示す模式図である。
【考案を実施するための最良の形態】
【０００９】
以下、本考案の実施の形態を図面に基づいて説明する。
まず、図１乃至図３を参照する。本考案に係る電気スタンドは、台座１と、電気スタンド本体２と、電源変換器３と、を含む。
【００１０】
台座１は、その上でＵＳＢポート１１が複数に設けられており、台座１の底部には、電池４を収容するための電池収容部１２と、電池収容部１２に収容されている電池４の離脱を防止するための底蓋１３と、が設けられている。台座１は、その底部には掛け穴１６が開設されている。その上では電源のオン・オフを制御するための電源スイッチ１４が設けられている。そして台座１の一側には電源入力端１５が設けられている。
【００１１】
電気スタンド本体２には、発光源本体２１が設けられている。発光源本体２１には、発光体２２が組み付けられている。発光体２２のオン・オフおよび光度を切り替えるための切替スイッチ２３が設けられている。発光源本体２１の一端には撓み可能ロッド２４が伸びている。撓み可能ロッド２４の他端には、台座１に設けられたＵＳＢポート１１と電気的に接続可能のＵＳＢプラグ２５が接続されている。
【００１２】
電源変換器３は、交流/直流変換回路を有する変換器本体３１と、変換器本体３１と電気的に接続しているケーブル３４と、を含む。変換器本体３１の一側にはＵＳＢポート３３が設けられている。ケーブル３４の一端には、変換器本体３１に設けられたＵＳＢポート３３と電気的に接続可能のＵＳＢプラグ３５が設けられている。ケーブル３４の他端には、台座１に設けられた電源入力端１５と電気的に接続可能の電源出力端３６が設けられている。
【００１３】
次に、図１及び図２を参照しながら本考案の使用方法を説明する。まず、台座１の電池収容部１２に電池４を入れて底蓋１３を被り、その後、台座１のＵＳＢポート１１に電気スタンド本体２に設けられたＵＳＢプラグ２５を挿入して、図３に示すように、台座１の電源入力端１５に、電源変換器３のケーブル３４に設けられた電源出力端３６を電気的に接続して、変換器本体３１に設けられたＵＳＢポート３３にＵＳＢプラグ３５を挿入して、公共電源のコンセントに変換器本体３１に設けられたプラグ３２を挿入する。
【００１４】
その後、台座１の電源スイッチ１４をオンにすることにより、電源変換器３からの電流は、ＵＳＢポート１１に流して、ＵＳＢポート１１と電気的に接続しているＵＳＢプラグ２５を経由して電気スタンド本体２に流入して、ユーザが発光源主体２１に設けられた切替スイッチ２３をオンにすることにより、電流が発光体２２に流入されて発光体２２が発光する。そして発光体２２の光度がユーザにとって適当ではない場合には、切替スイッチ２３を調整することにより、発光体２２の光度を調整することができ、且つ本考案に係る撓み可能ロッド２４により、ユーザは光源の投射方向を必要によって自由に調整することができ、本考案に係る切替スイッチ２３により、発光体２２の光度を自由に調整することができ、例えば、寝ているときに、ユーザは発光体２２の光度を降下することができる。
【００１５】
また、公共電源が停電しているときに、電池収容部１２に収容されている電池４からの電源によって発光体２２の発光を持続することができるので、本考案に係る電気スタンドは緊急照明ランプとして使用することができ、そして本考案に係る電気スタンドをアウトドア活動に活用することも極めて理想である。
【００１６】
また、台座１の底部に開設された掛け穴１６により、壁面に本考案に係る電気スタンドを設置することができる。
【００１７】
また、ユーザは、図４に示すように、電気スタンド主体２を単独に携帯して、図５に示すように、ノートブック式パーソナルコンピュータに設けられたＵＳＢポート３３に、電気スタンド主体２のＵＳＢプラグ２５を挿入することにより、ノートブック式パーソナルコンピュータからの電流が電気スタンド本体２に流入して、ユーザが発光源主体２１に設けられた切替スイッチ２３をオンにすることにより、電流が発光体２２に流入されて発光体２２が発光する。そして発光体２２の光度がユーザにとって適当ではない場合には、切替スイッチ２３を調整することにより、発光体２２の光度を調整することができる。
【００１８】
また、図６に示すように、ノートブック式パーソナルコンピュータに設けられたＵＳＢポート３３に、本考案に係るケーブル３４の一端に設けられたＵＳＢプラグ３５を挿入したと、台座１はＵＳＢハブとして使用することができる。
【産業上の利用可能性】
【００１９】
本考案は、電気スタンドに適用することができる。
【符号の説明】
【００２０】
１：台座、２：電気スタンド主体、３：電源変換器、４：電池、１１：ＵＳＢポート、１２：電池収容部、１３：底蓋、１４：電源スイッチ、１５：電源入力端、１６：掛り穴、２１：発光源主体、２２：発光体、２３：切替スイッチ、２４：撓み可能ロッド、２５：ＵＳＢポート、３１：変換器主体、３２：プラグ、３３：ＵＳＢポート、３４：ケーブル、３５：ＵＳＢポート、３６：電源出力端。
【図１】
0003150990.tif 000003
【図２】
0003150990.tif 000004
【図３】
0003150990.tif 000005
【図４】
0003150990.tif 000006
【図５】
0003150990.tif 000007
【図６】
0003150990.tif 000008